(57)【要約】      （修正有）【課題】ジグソーパズルや写真を収納するための装飾性の高いフレームを提供する。【解決手段】フレームは、少なくとも３枚の透明な板状部材１，２，３と、板状部材を支持するための溝部を有する基台４と、溝部の底部に板状部材毎に対応して設けられた光源と、基台に設けられ、光源に対する電源の供給と遮断を切り替えるスイッチとを有し、一つの板状部材の平面には、展示対象物を収納するための窪みから成る収納部１１が形成され、他の板状部材の平面には、光を乱反射する模様１５＿１，１５＿２が形成され、夫々の板状部材は、各板状部材の平面と垂直な方向に互いに着脱可能にされ、各光源に電源を供給したとき、一つの光源は常時点灯し、他の光源は互いに異なるタイミングで点滅する。【選択図】図６
0003200780.tif 000002
【実用新案登録請求の範囲】
【請求項１】
少なくとも３枚の透明な板状部材と、
前記板状部材を支持するための溝部を有する基台と、
前記溝部の底部に、上記板状部材毎に対応して設けられた光源と、
前記基台に設けられ、前記光源に対する電源の供給と遮断を切り替えるスイッチとを有し、
一つの前記板状部材の平面には、展示対象物を収納するための窪みから成る収納部が形成され、他の前記板状部材の平面には、光を乱反射する模様が形成され、
夫々の前記板状部材は、前記板状部材の平面と垂直な方向に互いに着脱可能にされ、
夫々の前記光源に電源を供給したとき、一つの前記光源は、常時点灯し、残りの前記光源は互いに異なるタイミングで点滅する
ことを特徴とするフレーム。
【請求項２】
請求項１に記載のフレームにおいて、
常時点灯する前記光源と点滅する前記光源とは、互いに異なる色で発光する
ことを特徴とするフレーム。
【請求項３】
請求項１または２に記載のフレームにおいて、
前記板状部材の何れか一つの平面には、複数の凸部が形成され、残りの前記板状部材の平面には、前記凸部と嵌合する複数の凹部または貫通孔が形成されている
ことを特徴とするフレーム。
【考案の詳細な説明】
【技術分野】
【０００１】
本考案は、ジグソーパズルや写真等を収納するためのフレームに関する。
【背景技術】
【０００２】
従来から、ジグソーパズルや写真等を収納するためのフレームが知られている（例えば特許文献１参照）。
【先行技術文献】
【特許文献】
【０００３】
【特許文献１】特開２０１３−６６６６２号公報
【考案の概要】
【考案が解決しようとする課題】
【０００４】
しかしながら、従来のフレームは、あくまで、組み立てたジグソーパズルや写真等の展示対象物を収納し、その展示対象物が見え易い位置に飾ることを目的としており、ジグソーパズル等の展示対象物を装飾的に飾ることについては、十分に考慮されているとは言えなかった。
【０００５】
本考案は、上記の問題に鑑みてなされたものであり、本考案の目的は、装飾性の高いフレームを提供することにある。
【課題を解決するための手段】
【０００６】
本考案に係るフレーム（１００）は、少なくとも３枚の透明な板状部材（１，２，３）と、板状部材を支持するための溝部（４１）を有する基台（４）と、上記溝部の底部に板状部材毎に対応して設けられた光源（４２＿１，４２＿２，４２＿３）と、基台に設けられ、光源に対する電源の供給と遮断を切り替えるスイッチ（４４）とを有し、一つの板状部材の平面には、展示対象物を収納するための窪みから成る収納部（１１）が形成され、他の板状部材の平面には、光を乱反射する模様（１５＿１，１５＿２）が形成され、夫々の板状部材は、各板状部材の平面と垂直な方向に互いに着脱可能にされ、各光源に電源を供給したとき、一つの光源（４２＿１）は常時点灯し、他の光源（４２＿２，４２＿３）は互いに異なるタイミングで点滅することを特徴とする。
【考案の効果】
【０００７】
本考案によれば、装飾性の高いフレームを提供することができる。
【図面の簡単な説明】
【０００８】
【図１】本考案の実施の形態に係るフレームの構成を示す斜視図である。
【図２】本考案の実施の形態に係るフレームの各板状部材の構成を示す分解斜視図である。
【図３】展示対象物の収容部が形成された板状部材の構成を示す平面図である。
【図４】模様が形成された板状部材の構成を示す平面図である。
【図５】模様が形成された別の板状部材の構成を示す平面図である。
【図６】各板状部材を重ね合わせたときの各板状部材の平面形状を示す図である。
【図７】各板状部材を重ね合わせたときの各板状部材の断面形状を示す図である。
【図８】基台の構成を示す分解斜視図である。
【図９】板状部材を載置していないときの基台の構成を示す平面図である。
【図１０】板状部材を載置したときの基台の構成を示す平面図である。
【図１１】基台の溝部における光源の別の配置例を示す平面図である。
【図１２】板状部材の基台への別の載置例を示す斜視図である。
【考案を実施するための形態】
【０００９】
以下、本考案の実施の形態について図を参照して説明する。
【００１０】
〈本考案の実施の形態に係るフレームの構成〉
図１は、本考案の実施の形態に係るフレームの構成を示す斜視図である。
図１に示されるフレーム１００は、例えば、組み立てたジグソーパズル、写真、およびポストカード等の薄い板状（例えばカード状）の展示対象物を収納し、卓上に飾るためのフレームである。
【００１１】
具体的に、フレーム１００は、展示対象物を収納する一種のケースとして機能する３枚の板状部材１，２，３と、板状部材１，２，３を支持するスタンドとしての基台４とを含む。以下、板状部材１，２，３および基台４について詳細に説明する。
【００１２】
（１）板状部材１，２，３
図２は、各板状部材の構成を示す分解斜視図である。
図３〜図５は、各板状部材の構成を示す平面図である。
【００１３】
図２〜５に示される板状部材１，２，３は、可視光を透過させる透明な材料、例えば、アクリル樹脂等の透明なプラスチック材料から構成されている。
【００１４】
板状部材１は、その平面１Ａに窪み（凹部）から成る収納部１１が形成されている。収納部１１は、その窪みに展示対象物としてのジグソーパズルや写真等を載置することができる。
【００１５】
板状部材２は、後述するように板状部材１と重ね合わせて配置されることにより、板状部材１の収納部１１に載置された展示対象物が当該収納部１１の外側に移動しないように保持するための蓋部として機能する。
【００１６】
板状部材３は、板状部材２とともに、板状部材１に収納した展示対象物を装飾的に見せるための装飾部として機能する。具体的には、板状部材２，３は、光を乱反射させる複数の模様１５＿１，１５＿２が夫々の平面２Ａ、３Ａに形成されている。
【００１７】
例えば、図４，５に示されるように、模様１５＿１，１５＿２は、板状部材１，２，３を重ね合わせたときに、主に板状部材１の収納部１１の枠線１１Ａの外側（平面２Ａ，３Ａの周縁部）に配置されるように、各板状部材２，３の各平面２Ａ，３Ａに形成されている。
【００１８】
模様１５＿１，１５＿２の形成は、例えば、板状部材２，３の各平面２Ａ，３Ａへのシルク印刷、または各平面２Ａ，３Ａを削ることによって実現することができる。
なお、図４，５には、模様１５＿１，１５＿２として、星型の図柄が示されているが、模様１５＿１，１５＿２の形状や大きさは、上記に限定されるものではない。
【００１９】
板状部材１，２，３は、夫々の板状部材の平面１Ａ，２Ａ，３Ａと垂直な方向に、互いに着脱可能にされている。具体的には、板状部材１，２，３は、板状部材１，２，３を重ね合わせて固定するための嵌合部として、板状部材１，２，３の何れか一つの平面に複数の凸部が形成され、残りの板状部材の平面に上記凸部と嵌合する複数の凹部が形成されている。
【００２０】
より具体的には、図２〜５に示すように、板状部材１の平面１Ａに複数の凸部１２＿１〜１２＿４が形成され、板状部材２の平面２Ａに凸部１２＿１〜１２＿４と嵌合する複数の貫通孔１３＿１〜１３＿４が形成され、板状部材３の平面３Ａに、貫通孔１３＿１〜１３＿４を介して凸部１２＿１〜１２＿４と嵌合する複数の窪み１４＿１〜１４＿４が形成されている。
【００２１】
なお、以下の説明において、凸部１２＿１〜１２＿４、貫通孔１３＿１〜１３＿４、および窪み１４＿１〜１４＿４の夫々を総称する場合には、凸部１２、貫通孔１３、および窪み１４と表記する。
【００２２】
図６は、各板状部材を重ね合わせたときの各板状部材の平面形状を示す図である。
図７は、各板状部材を重ね合わせたときの各板状部材の断面形状を示す図である。図７には、図６におけるＩ−Ｉ断面における板状部材１，２，３の形状が示されている。
【００２３】
図３〜６に示すように、凸部１２＿１〜１２＿４、貫通孔１３＿１〜１３＿４、および窪み１４＿１〜１４＿４は、例えば、板状部材１，２，３の平面１Ａ，２Ａ，３Ａ上の四隅に夫々形成されている。
【００２４】
図７に示すように、板状部材１に形成された凸部１２＿１〜１２＿４を、対応する貫通孔１３＿１〜１３＿４および窪み１４＿１〜１４＿４に夫々嵌合させることにより、各板状部材１，２，３を平面１Ａ，２Ａ，３Ａと垂直な方向に重ね合わせた状態で固定することができる。
【００２５】
また、嵌合した状態の凸部１２＿１〜１２＿４を貫通孔１３＿１〜１３＿４および窪み１４＿１〜１４＿４から引き抜くことにより、各板状部材１，２，３を分離することができ、板状部材１に収納した展示対象物を別の展示対象物と入れ替えることが容易となる。
【００２６】
（２）基台４
図８は、板状部材１，２，３を支持するスタンドとしての基台４の構成を示す分解斜視図である。
図８に示すように、基台４は、上側筐体４Ａ、下側筐体４Ｂ、蓋部４Ｃ、光源４２＿１〜４２＿３、基板４３、およびスイッチ４４を含む。
【００２７】
上側筐体４Ａには、重ね合わせた板状部材１，２，３を支持するための溝部４１が、上側筐体４Ａの上面（上側筐体４Ａの方向Ａと反対方向の面）に上側筐体４Ａの長手方向に沿って形成されている。
【００２８】
また、上部筐体４Ａには、後述するスイッチ４４のつまみを外部に露出させるための貫通孔４６が形成されている。更に、詳細は後述するが、上部筐体４Ａの溝部４１の底面には、各光源４２＿１〜４２＿３の光を上部筐体４Ａの外部に照射するための貫通孔が形成されている。
【００２９】
光源４２＿１〜４２＿３は、板状部材１，２，３毎に対応して設けられている。光源４２＿１〜４２＿３は、例えばＬＥＤである。
【００３０】
基板４３は、光源４２＿１〜４２＿３と、光源４２＿１〜４２＿３を駆動するための駆動回路が形成された回路基板である。具体的には、基板４３は例えばプリント基板であって、上記プリント基板上に、光源４２＿１〜４２＿３と、電子回路（例えばＩＣ）、回路素子（抵抗やキャパシタ、トランジスタ等）、および各種配線から成る上記駆動回路とが形成されている。
【００３１】
スイッチ４４は、光源４２＿１〜４２＿３に対する電源の供給と遮断を切り替えるための部品である。スイッチ４４は、図示されない配線によって上記駆動回路と電気的に接続されており、スイッチ４４のＯＮ／ＯＦＦを切り替えることによって、上記駆動回路に対する後述する電池からの電力の供給と遮断を制御する。
【００３２】
下側筐体４Ｂは、光源４２＿１〜４２＿３を搭載した基板４３およびスイッチ４４を支持するとともに、基板４３およびスイッチ４４を載置する面と反対側の面（裏面）に上記駆動回路に電源を供給するための電池（図示せず）を収容するための窪みから成る電池収容部４５が形成されている。下側筐体４５の裏面側に蓋部４Ｃを装着することにより、電池収容部４５の窪みが塞がれ、収容部の電池の露出を防止する。
【００３３】
図９は、板状部材１，２，３を載置していないときの基台４の構成を示す平面図である。
図１０は、板状部材１，２，３を載置したときの基台４の構成を示す平面図である。
図９，１０には、図８における方向Ａ（上方向）から見たときの基台４の平面形状が図示されている。
【００３４】
上述したように、光源４２＿１〜４２＿３は、基台４の溝部４１の底部（底面）に、板状部材１，２，３毎に対応して設けられている。具体的には、図９、１０に示されるように、重ね合わせた板状部材１，２，３を溝部４１に載置したときに、光源４２＿１の光が主に板状部材１に照射され、光源４２＿２の光が主に板状部材２に照射され、光源４２＿３の光が主に板状部材３に照射される位置に、光源４２＿１〜４２＿３が夫々形成される。
【００３５】
スイッチ４４を“ＯＮ”側に切り替えて、光源４２＿１〜４２＿３に電源を供給したとき、展示対象物を収納する板状部材１に照射するための光源４２＿１は、常時点灯する。一方、残りの光源、すなわち板状部材２，３に照射するための光源４２＿２，４２＿３は、互いに異なるタイミングで点滅する。例えば、光源４２＿２と光源４２＿３とは、視認可能な周期で交互に点灯する。
【００３６】
また、常時点灯する光源４２＿１と点滅する光源４２＿２，４２＿３とは、互いに異なる色で発光させてもよい。例えば、光源４２＿１を青色ＬＥＤとし、光源４２＿２，４２＿３を白色ＬＥＤとしてもよい。
【００３７】
また、光源４２＿１〜４２＿３は、溝部４１の底部において、図９に示すように、Ｘ方向に互いにずれた位置に配置してもよいし、図１０に示すように、Ｙ軸方向に一列に配置してもよい。
【００３８】
このように、光源４２＿１〜４２＿３を配置した溝部４１に、３つの板状部材１，２，３を重ね合わせた状態で載置することにより、各光源４２＿１〜４２＿３から出力された光が、各光源４２＿１〜４２＿３と向い合う板状部材１，２，３の側面から入射される。板状部材１の側面から入射された光は、収納部１１に収納された展示対象物を照らし、板状部材２，３の側面から入射された光は、板状部材２，３に形成された模様１５＿１，１５＿２において乱反射する。
【００３９】
〈本考案に係るフレームによる効果〉
以上、本考案に係るフレーム１００によれば、組み立てたジグソーパズルや写真等の展示対象物を収納した板状部材１を、光を乱反射する模様が形成された透明な材料から成る板状部材２，３と重ね合わせた状態で光源４２＿１〜４２＿３が形成された基台４の溝部４１に載置し、光源４２＿１〜４２＿３を発光させることにより、従来のジグソーパズル用のフレームや写真用のフレームに比べて装飾性を高めることができる。
【００４０】
具体的には、主に光源４２＿１の光が板状部材１に収納された展示対象物にあたるので、従来のフレームに比べて展示対象物を際立たせることができる。例えば、ステンドグラスのように透明な材料（例えば透明な樹脂）に着色することによって図柄を描いたジグソーパズルやカード等を板状部材１に収納した場合に、そのジグソーパズル等をより装飾的に展示することができる。特に、上記図柄が白色を基調としたものである場合、その白色の図柄において光がより反射するので、その図柄をより強調して見せることができ、装飾性が更に高まる。
【００４１】
また、板状部材２，３に対して光を照射する光源４２＿２，４２＿３を互いに異なるタイミングで点滅させることにより、夫々の板状部材２，３に形成された模様１５＿１，１５＿２において光が交互に乱反射するので、模様１５＿１，１５＿２が動いているような視覚効果を発現させることができる。
【００４２】
また、常時点灯する光源４２＿１と点滅する光源４２＿２，４２＿３とを、互いに異なる色で発光させることにより、展示対象物と模様１５＿１，１５＿２との視覚的なコントラストを強調することができるので、装飾性をより高めることができる。
【００４３】
また、板状部材１，２，３は、板状部材１，２，３の何れか一つの平面に複数の凸部を形成し、残りの板状部材の平面に上記凸部と嵌合する複数の凹部を形成しているので、各板状部材１，２，３を、各板状部材の平面と垂直な方向に重ね合わせた状態で固定することができ、且つ各板状部材１，２，３を夫々分離し、板状部材１の収納部１１に収納した展示対象物を別の展示対象物と入れ替えることが容易となる。
【００４４】
なお、板状部材１，２，３の溝部４１への載置方法としては、図１や図６に示したように、板状部材１，２，３の長手方向の側面を載置面として溝部４１に設置してもよいし、図１２に示すように、板状部材１，２，３の短手方向の側面を載置面として溝部４１に設置してもよい。どちらの載置方法であっても、同様の効果が期待できる。
【００４５】
以上、本考案者によってなされた考案を実施の形態に基づいて具体的に説明したが、本考案はそれに限定されるものではなく、その要旨を逸脱しない範囲において種々変更可能であることは言うまでもない。
【００４６】
例えば、上記実施の形態において、模様１５＿１，１５＿２が板状部材２，３の各平面２Ａ，３Ａの周縁部に形成される場合（図４〜６参照）を例示したが、模様１５＿１，１５＿２は、板状部材２，３の各平面２Ａ，３Ａに形成されていればよく、上記の位置に限定されるものではない。
【００４７】
また、上記実施の形態において、板状部材１，２，３を重ね合わせて固定するための嵌合部として、凸部１２＿１〜１２＿４、貫通孔１３＿１〜１３＿４、および窪み１４＿１〜１４＿４を平面１Ａ，２Ａ，３Ａ上に形成する場合（図２〜７参照）を例示したが、板状部材１，２，３を重ね合わせて固定することができる構造であればよく、上記の構造に限定されない。例えば、３つの板状部材１，２，３を固定するために、板状部材１，２，３を重ね合わせた状態で挟み込むクリップのような固定部材を用いてもよい。
【００４８】
また、上記実施の形態において、上記嵌合部を板状部材１，２，３における平面１Ａ，２Ａ，３Ａ上の四隅に形成される場合（図２〜６参照）を例示したが、上記嵌合部は平面１Ａ，２Ａ，３Ａにおける枠線１１の外側に形成されていればよく、上記の位置に限定されるものではない。
【００４９】
また、上記実施の形態では、上記嵌合部が各平面１Ａ，１Ｂ，Ｃに４つずつ形成される場合を例示したが、上記嵌合部の個数に特に制限はない。例えば、各平面１Ａ，１Ｂ，Ｃの対向する１組の辺の夫々に１つずつ上記嵌合部を形成してもよいし、上記嵌合部を４つ以上設けても良い。
【００５０】
また、上記実施の形態では、凸部１２を円柱状とし、貫通孔１３および窪み１４を凸部１２に対応した平面視円形状に形成した場合を例示したが、これに限られず、その他の形状としてもよい。
【００５１】
また、上記実施の形態では、板状部材３に形成される上記嵌合部が有底の穴（窪み１４）から構成される場合を例示したが、板状部材２と同様に、貫通孔によって構成されてもよい。
【００５２】
また、上記実施の形態では、凸部１２を板状部材１に形成し、凸部１２と嵌合する貫通孔１３および窪み１４を板状部材２，３に形成する場合を例示したが、これに限られない。例えば、凸部１２を板状部材３の平面３Ａの裏面に形成し、凹部または貫通孔を板状部材１における平面１Ａ上の上記凸部１２に対応する位置に形成してもよいし、凸部１２を板状部材２に平面２Ａとその裏面に形成し、板状部材１，３の平面１Ａ，３Ａの上記凸部１２に対応する位置に凹部または貫通孔を形成してもよい。
【００５３】
また、上記実施の形態では、スイッチ４４がつまみを有するスイッチ部品である場合（図８〜１１）を例示したが、光源４２＿１〜４２＿３に対する電源供給を制御することができるスイッチ部品であれば、これに限定されない。例えば、スイッチ４４は、ボタンを押し込むことによってＯＮ／ＯＦＦを切り替えるスイッチ部品であってもよいし、人体の接触（例えば手の指の接触）を検知してＯＮ／ＯＦＦを切り替えるスイッチ部品であってもよい。また、スマートフォンやタブレット端末等の携帯端末から無線信号を受信することによってＯＮ／ＯＦＦを切り替えるスイッチ部品であってもよい。
【００５４】
また、上記実施の形態において、光を乱反射する模様が形成される板状部材が２枚である場合を例示したが、上記模様が形成された板状部材を３枚以上設けてもよい。この場合には、上記模様が形成された各板状部材に光を照射するための光源を溝部４１に夫々設け、各光源を点滅させればよい。このとき、各光源の点滅する周期は、全ての上記光源が同一タイミングで点滅するのでなければ、互いに異なる周期であってもよいし、一部の光源同士が同じ周期であってもよい。
【００５５】
また、上記実施の形態では、光源１４＿１が青色ＬＥＤであり、光源１４＿２，１４＿３が白色ＬＥＤである場合を例示したが、色の組み合わせは上記の例に限定されず、その他の色の光源（ＬＥＤ）を用いてもよい。
【符号の説明】
【００５６】
１００…フレーム、１，２，３…板状部材、１Ａ，２Ａ，３Ａ…平面、４…基台、４Ａ…上側筐体、４Ｂ…下部筐体、４Ｃ…蓋部、１１…収納部、１１Ａ…枠線，１２，１２＿１〜１２＿４…凸部、１３，１３＿１〜１３＿４…貫通孔、１４，１４＿１〜１４＿４…窪み、１５＿１，１５＿２…模様、４１…溝部、４２＿１〜４２＿３…光源、４３…基板、４４…スイッチ、４５…電池収容部、４６…貫通孔。
【図３】
0003200780.tif 000003
【図７】
0003200780.tif 000004
【図９】
0003200780.tif 000005
【図１０】
0003200780.tif 000006
【図１１】
0003200780.tif 000007
【図１】
0003200780.tif 000008
【図２】
0003200780.tif 000009
【図４】
0003200780.tif 000010
【図５】
0003200780.tif 000011
【図６】
0003200780.tif 000012
【図８】
0003200780.tif 000013
【図１２】
0003200780.tif 000014